(57)【要約】【課題】表示部の輝度およびコントラストをよりきめ細かく制御できるようにする。【解決手段】表示部４０の周囲の照度に応じた電圧を出力する受光センサ１０と、受光センサ１０よりも検出可能範囲の広い受光センサ１１を有し、受光センサ１０、１１より入力される各電圧に基づいて検出した照度が、閾値未満であると判定された場合、受光センサ１０より入力される電圧に基づいて輝度およびコントラストを決定し（Ｓ１０６）、閾値以上であると判定された場合、受光センサ１１より入力される電圧に基づいて輝度およびコントラストを決定し（Ｓ１０８）、表示部（４０）の輝度およびコントラストを制御する（１１０）。【選択図】図５
2009258219.tif 000002
【特許請求の範囲】
【請求項１】
表示部（４０）の周囲の照度に応じて当該表示部（４０）の輝度およびコントラストを制御する表示装置であって、  
第１の受光範囲を検出可能範囲として前記照度に応じた電圧を出力する第１の受光センサ（１０）と、
前記第１の受光範囲よりも広い第２の受光範囲を検出可能範囲として前記照度に応じた電圧を出力する第２の受光センサ（１１）と、
前記第１、第２の受光センサ（１０、１１）より入力される各電圧に基づいて前記照度を検出する照度検出手段（Ｓ１００）と、
前記照度検出手段（Ｓ１００）により検出された前記照度が前記第１の受光範囲に含まれる予め定められた閾値以上か否かを判定する判定手段（Ｓ１０４）と、
前記判定手段（Ｓ１０４）により前記照度が前記閾値未満であると判定された場合、前記第１の受光センサ（１０）より入力される前記電圧に基づいて輝度およびコントラストを決定し、前記照度が前記閾値以上であると判定された場合、前記第２の受光センサ（１１）より入力される前記電圧に基づいて輝度およびコントラストを決定する輝度コントラスト決定手段（Ｓ１０６、Ｓ１０８）と、
前記輝度コントラスト決定手段（Ｓ１１０）により決定された輝度およびコントラストに従って前記表示部（４０）の輝度およびコントラストを制御する輝度コントラスト制御手段（Ｓ１１０）と、を備えたことを特徴とする表示装置。
【請求項２】
前記輝度コントラスト決定手段（Ｓ１０６、Ｓ１０８）は、前記判定手段（Ｓ１０４）により前記照度が前記閾値未満であると判定された場合、コントラストを一定とし、前記照度が大きくなるほど輝度が高くなるように前記輝度およびコントラストを決定することを特徴とする請求項１に記載の表示装置。
【請求項３】
前記輝度コントラスト決定手段（Ｓ１０６、Ｓ１０８）は、前記判定手段（Ｓ１０４）により前記照度が予め定められた閾値以上であると判定された場合、輝度を一定とし、照度が大きくなるほどコントラストが高くなるように前記輝度およびコントラストを決定することを特徴とする請求項１または２に記載の表示装置。
【請求項４】
一定時間が経過したか否かを繰り返し判定する時間判定手段（Ｓ１０２）を備え、
前記判定手段（Ｓ１０４）は、前記時間判定手段（Ｓ１０２）により前記一定時間が経過したと判定された場合に、前記照度検出手段（Ｓ１００）により検出された前記照度が予め定められた閾値以上か否かを判定することを特徴とする請求項１ないし３のいずれか１つに記載の表示装置。
【請求項５】
前記第１の受光センサ（１０）は、第１の集光レンズ（１０ｂ）および第１の受光素子（１０ａ）を有し、
前記第２の受光センサ（１１）は、前記第１の集光レンズ（１０ｂ）と同一特性の集光レンズに透過率を低下させるための透過率低下膜（１１ｃ）を形成してなる第２の集光レンズ（１１ｂ）および前記第１の受光素子（１０ａ）と同一特性の第２の受光素子（１１ａ）を有し、
前記第２の集光レンズ（１１ｂ）を介して前記第２の受光素子（１１ａ）に到達する光量よりも前記第１の集光レンズ（１０ｂ）を介して前記第１の受光素子（１０ａ）に到達する光量が大きくなっており、前記第１の受光センサ（１０）の検出可能範囲よりも前記第２の受光センサ（１１）の検出可能範囲が広くなっていることを特徴とする請求項１ないし４のいずれか１つに記載の表示装置。
【発明の詳細な説明】
【技術分野】
【０００１】
本発明は、表示部の周囲の照度に応じて表示部の輝度およびコントラストを制御する表示装置に関するものである。
【背景技術】
【０００２】
従来、センサを用いて表示部の周囲の照度を検出し、センサにより検出された照度に応じて表示部の輝度やコントラストを制御する表示装置が種々提案されている（例えば、特許文献１〜３参照）。
【特許文献１】特開平７−２３４６５６号公報
【特許文献２】特開平６−２８９７８０号公報
【特許文献１】特開平６−３０８８９１号公報
【発明の開示】
【発明が解決しようとする課題】
【０００３】
上記特許文献１〜３に示したような表示装置は、検出範囲の狭いセンサを用いた場合、表示部の周囲の照度変化に応じて表示部の輝度やコントラストをきめ細かく制御することが可能であるが、表示部の周囲の照度が大きくなると対応しきれなくなるため、検出範囲の広いセンサを用い、表示部の周囲の照度に応じて表示部の輝度やコントラストを制御するようになっている。
【０００４】
しかし、このように検出範囲の広いセンサを用いて表示部の周囲の照度を検出する場合、表示部の周囲の照度に応じて表示部の輝度やコントラストをきめ細かく制御することができない。例えば、検出範囲の広いセンサを用いて表示部の周囲の照度を検出し、センサより出力されるアナログ信号をデジタル信号に変換してデジタル信号処理を実施する場合、分解能が低くなってしまうため、表示部の輝度やコントラストをきめ細かく制御することができない。
【０００５】
このため、特に、朝夕に窓から差し込まれる太陽光のような中低レベルの照度に対し、表示部の輝度やコントラストをきめ細かく制御することができないといった問題がある。
【０００６】
本発明は上記問題に鑑みたもので、表示部の輝度およびコントラストをよりきめ細かく制御できるようにすることを目的とする。
【課題を解決するための手段】
【０００７】
上記目的を達成するため、請求項１に記載の発明は、表示部（４０）の周囲の照度に応じて当該表示部（４０）の輝度およびコントラストを制御する表示装置であって、  第１の受光範囲を検出可能範囲として照度に応じた電圧を出力する第１の受光センサ（１０）と、第１の受光範囲よりも広い第２の受光範囲を検出可能範囲として照度に応じた電圧を出力する第２の受光センサ（１１）と、第１、第２の受光センサ（１０、１１）より入力される各電圧に基づいて照度を検出する照度検出手段（Ｓ１００）と、照度検出手段（Ｓ１００）により検出された照度が第１の受光範囲に含まれる予め定められた閾値以上か否かを判定する判定手段（Ｓ１０４）と、判定手段（Ｓ１０４）により照度が閾値未満であると判定された場合、第１の受光センサ（１０）より入力される電圧に基づいて輝度およびコントラストを決定し、照度が閾値以上であると判定された場合、第２の受光センサ（１１）より入力される電圧に基づいて輝度およびコントラストを決定する輝度コントラスト決定手段（Ｓ１０６、Ｓ１０８）と、輝度コントラスト決定手段（Ｓ１１０）により決定された輝度およびコントラストに従って表示部（４０）の輝度およびコントラストを制御する輝度コントラスト制御手段（Ｓ１１０）と、を備えたことを特徴としている。
【０００８】
このような構成によれば、表示部（４０）の周囲の照度が閾値未満であると判定された場合、第１の受光センサ（１０）より入力される電圧に基づいて輝度およびコントラストを決定し、表示部（４０）の周囲の照度が閾値以上であると判定された場合、第２の受光センサ（１１）より入力される電圧に基づいて輝度およびコントラストを決定し、この決定した輝度およびコントラストに従って表示部（４０）の輝度およびコントラストを制御するので、表示部の輝度およびコントラストをよりきめ細かく制御することができる。
【０００９】
なお、輝度コントラスト決定手段（Ｓ１０６、Ｓ１０８）は、請求項２に記載の発明のように、表示部（４０）の周囲の照度が閾値未満であると判定された場合には、コントラストを一定とし、照度が大きくなるほど輝度が高くなるように輝度およびコントラストを決定することができ、また、請求項３に記載の発明のように、表示部（４０）の周囲の照度が閾値未満であると判定された場合には、コントラストを一定とし、照度が大きくなるほど輝度が高くなるように輝度およびコントラストを決定することができる。
【００１０】
また、請求項４に記載の発明は、一定時間が経過したか否かを繰り返し判定する時間判定手段（Ｓ１０２）を備え、判定手段（Ｓ１０４）は、時間判定手段（Ｓ１０２）により一定時間が経過したと判定された場合に、照度検出手段（Ｓ１００）により検出された照度が予め定められた閾値以上か否かを判定することを特徴としている。
【００１１】
表示部の周囲の照度に応じて表示部の輝度およびコントラストを短い周期で制御すると、例えば、表示部が一瞬だけ日向から日陰に入ったような場合に、表示部の周囲の照度変化に追従して表示部の輝度およびコントラストがすぐに変化してしまい、かえって見にくくなってしまう場合があるが、上記した構成によれば、一定時間が経過したと判定された場合に照度が予め定められた閾値以上か否かの判定が実施され、一定時間毎に表示部の輝度およびコントラストが制御されるので、例えば、その一定時間を比較的長い時間に設定することにより、上記したように表示部が一瞬だけ日向から日陰に入ったような場合に、表示部の周囲の照度変化に追従して表示部の輝度およびコントラストがすぐに変化してしまうことをなくすことが可能である。
【００１２】
また、請求項５に記載の発明は、第１の受光センサ（１０）は、第１の集光レンズ（１０ｂ）および第１の受光素子（１０ａ）を有し、第２の受光センサ（１１）は、第１の集光レンズ（１０ｂ）と同一特性の集光レンズに透過率を低下させるための透過率低下膜（１１ｃ）を形成してなる第２の集光レンズ（１１ｂ）および第１の受光素子（１０ａ）と同一特性の第２の受光素子（１１ａ）を有し、第２の集光レンズ（１１ｂ）を介して第２の受光素子（１１ａ）に到達する光量よりも第１の集光レンズ（１０ｂ）を介して第１の受光素子（１０ａ）に到達する光量が大きくなっており、第１の受光センサ（１０）の検出可能範囲よりも第２の受光センサ（１１）の検出可能範囲が広くなっていることを特徴としている。
【００１３】
このように、第１の受光センサ（１０）は、第１の集光レンズ（１０ｂ）および第１の受光素子（１０ａ）を有し、第２の受光センサ（１１）は、第１の集光レンズ（１０ｂ）と同一特性の集光レンズに透過率を低下させるための透過率低下膜（１１ｃ）を形成してなる第２の集光レンズ（１１ｂ）および第１の受光素子（１０ａ）と同一特性の第２の受光素子（１１ａ）を有し、第２の集光レンズ（１１ｂ）を介して第２の受光素子（１１ａ）に到達する光量よりも第１の集光レンズ（１０ｂ）を介して第１の受光素子（１０ａ）に到達する光量が大きくなるようにして、第１の受光センサ（１０）の検出可能範囲よりも第２の受光センサ（１１）の検出可能範囲が広くなるようにすることができる。
【００１４】
なお、この欄および特許請求の範囲で記載した各手段の括弧内の符号は、後述する実施形態に記載の具体的手段との対応関係を示すものである。
【発明を実施するための最良の形態】
【００１５】
本発明の一実施形態に係る表示装置の外観図を図１に示す。（ａ）は、本表示装置１を正面から見た図、（ｂ）は、（ａ）の右側面図である。なお、本表示装置１は、車両に搭載される車両用表示装置として用いられる。
【００１６】
本表示装置１は、額縁形状のエスカッション部２と、各種画像を表示する表示部４０と、この表示部４０の周囲の照度を検出するための受光センサ１０、１１を備えている。本実施形態における受光センサ１０は、検出可能範囲の狭い低照度用受光センサ（第１の受光センサ）として用いられ、受光センサ１１は、検出可能範囲の広い広照度用受光センサ（第２の受光センサ）として用いられる。受光センサ１０、１１は、図（ａ）に示すように、エスカッション部２の上部に並べて配置されている。
【００１７】
図２に、図１（ａ）中のＡ−Ａ線に沿った断面図を示す。受光センサ１０は、基板１２の表面に搭載された受光素子１０ａおよび集光レンズ１０ｂにより構成されており、受光センサ１１は、基板１２の表面に搭載された受光素子１１ａおよび集光レンズ１１ｂにより構成されている。なお、集光レンズ１０ｂと集光レンズ１１ｂは同一特性のものとなっており、受光素子１０ａと受光素子１１ａも同一特性のものとなっている。また、受光素子１０ａ、１１ａとしては、例えば、フォトダイオードやフォトトランジスタを用いることができる。
【００１８】
集光レンズ１１ｂの受光素子１１ａと反対側の面には、透過率を低下させるための透過率低下膜１１ｃが形成されている。本実施形態における透過率低下膜１１ｃは、耐久性に優れている酸化膜フィルムを用いて構成されている。
【００１９】
受光センサ１０における集光レンズ１０ｂの透過率が１００％であるのに対し、透過率低下膜１１ｃにより、受光センサ１１における集光レンズ１１ｂの透過率は１０％となっている。すなわち、受光センサ１１は、受光センサ１０の１０倍の照度まで検出することが可能となっている。
【００２０】
図３に、各受光センサ１０、１１の照度と出力電圧の関係を示す。受光センサ１０は、０〜１０００ルクス（ｌｘ）を受光可能範囲として照度に応じた電圧を出力する。なお、照度が１０００ルクス（ｌｘ）を超えると、出力電圧は飽和電圧（一定値）となる。
【００２１】
受光センサ１１は、０〜１００００ルクス（ｌｘ）を受光可能範囲として照度に応じた電圧を出力する。なお、照度が１００００ルクス（ｌｘ）を超えると、出力電圧は飽和電圧（一定値）となる。
【００２２】
本表示装置１のブロック構成を図４に示す。本表示装置１は、受光センサ１０、１１、制御部２０、表示駆動回路３０および表示部４０を備えている。
【００２３】
受光センサ１０は、第１の受光範囲（０〜１０００ルクス）を受光可能範囲として照度に応じた電圧を出力する。
【００２４】
受光センサ１１は、第１の受光範囲よりも広い第２の受光範囲（０〜１００００ルクス）を受光可能範囲として照度に応じた電圧を出力する。
【００２５】
制御部２０は、受光センサ１０から出力される電圧を増幅する増幅器（図中ではＡＭＰと記す）２１ａ、この増幅器２１ａの出力信号をデジタル信号に変換するＡ／Ｄ変換回路２２ａ、受光センサ１１から出力される電圧を増幅する増幅器（図中ではＡＭＰと記す）２１ｂ、この増幅器２１ｂの出力信号をデジタル信号に変換するＡ／Ｄ変換回路２２ｂおよびＣＰＵ２３を備えている。
【００２６】
また、制御部２０は、ＣＰＵ２３を備えたコンピュータとして構成されている。ＣＰＵ２３は、図示しないＲＯＭに記憶されたプログラムに従って各種処理を実施する。また、制御部２０は、タイマーを有しており、このタイマーを用いて予め定められた一定時間（例えば、１秒）が経過したか否かを繰り返し判定する処理を実施するようになっている。
【００２７】
表示駆動回路３０は、表示部４０のバックライトに流れる電流を制御して表示部４０の輝度を制御するバックライト制御回路３０ａおよび表示部４０のコントラスト調整とともにガンマ補正を行うガンマ補正回路３０ｂを有している。表示駆動回路３０は、制御部２０より入力される信号に応じて表示部４０のバックライトおよびコントラストの調整を行う。
【００２８】
表示部４０は、液晶等のディスプレイを有し、外部より入力される映像信号に応じた映像をディスプレイに表示させる。
【００２９】
本実施形態における制御部２０は、受光センサ１０より増幅器２１ａ、Ａ／Ｄ変換回路２２ａを介して入力される信号と、受光センサ１１より増幅器２１ｂ、Ａ／Ｄ変換回路２２ｂを介して入力される信号に基づいて表示部４０の周囲の照度を検出し、検出した照度に応じて最適な輝度およびコントラストを決定し、表示駆動回路３０を駆動する処理を実施する。
【００３０】
図５に、この処理のフローチャートを示す。制御部２０は、本表示装置１が動作状態になると、図５に示す処理を開始する。
【００３１】
まず、照度を検出する（Ｓ１００）。具体的には、受光センサ１０より増幅器２１ａ、Ａ／Ｄ変換回路２２ａを介して入力される信号と、受光センサ１１より増幅器２１ｂ、Ａ／Ｄ変換回路２２ｂを介して入力される信号のいずれかに基づいて表示部４０の周囲の照度を検出する。受光センサ１０の出力電圧が飽和電圧となっていない場合には、受光センサ１１より入力される信号に基づいて表示部４０の周囲の照度を検出し、受光センサ１０の出力電圧が飽和電圧となっている場合には、受光センサ１１より入力される信号に基づいて表示部４０の周囲の照度を検出する。
【００３２】
次に、予め定められた一定時間（例えば、１秒）が経過したか否かを判定する（Ｓ１０２）。
【００３３】
ここで、予め定められた一定時間が経過していない場合、Ｓ１０２の判定はＮＯとなり、Ｓ１００へ戻る。
【００３４】
また、予め定められた一定時間が経過すると、Ｓ１０２の判定はＹＥＳとなり、次に、表示部４０の周囲の照度が閾値以上か否かを判定する（Ｓ１０４）。本実施形態では、１０００ルクス（ｌｘ）を閾値として表示部４０の周囲の照度が閾値（１０００ルクス）以上か否かを判定する。
【００３５】
ここで、表示部４０の周囲の照度が閾値未満の場合、Ｓ１０４の判定はＮＯとなり、次に、受光センサ１０より入力される信号に基づいて最適な輝度・コントラストを決定する（Ｓ１０６）。具体的には、図６に示す照度に対する輝度制御特定および図７に示す照度に対するコントラスト制御特性に従って最適な輝度・コントラストを決定する。
【００３６】
すなわち、表示部４０の周囲の照度が閾値（１０００ルクス）未満であるので、コントラストを予め定められた一定値αとし、照度に対して輝度が直線的に増加するように輝度を決定する。
【００３７】
このように、表示部４０の周囲の照度が閾値（１０００ルクス）未満の場合にコントラストを一定値αとするのは、コントラスト制御せずとも輝度制御のみで十分のだからである。
【００３８】
次に、決定した輝度およびコントラストを表す信号を表示駆動回路３０へ出力する（Ｓ１１０）。なお、表示駆動回路３０は、この制御部２０より入力される輝度およびコントラストを表す信号に従って表示部４０の輝度およびコントラストを制御する。
【００３９】
また、表示部４０の周囲の照度が閾値以上の場合には、Ｓ１０４の判定はＹＥＳとなり、次に、受光センサ１１より入力される信号に基づいて最適な輝度・コントラストを決定する（Ｓ１０８）。具体的には、図６に示す輝度制御特定および図７に示すコントラスト制御特性に従って最適な輝度・コントラストを決定する。
【００４０】
すなわち、表示部４０の周囲の照度が閾値（１０００ルクス）以上であるので、輝度を予め定められた一定値βとし、照度に対してコントラストが直線的に増加するようにコントラストを決定する。
【００４１】
このように、表示部４０の周囲の照度が閾値（１０００ルクス）以上の場合に輝度を一定値βとするのは、表示部４０の周囲の照度が高い場合にバックライトに流す電流を増加させて輝度を更に高くしようとしても消費電流が大きくなるだけであまり見え方に変化がないためである。
【００４２】
次に、決定した輝度およびコントラストを表す信号を表示駆動回路３０へ出力する（Ｓ１１０）。なお、表示駆動回路３０は、この制御部２０より入力される輝度およびコントラストを表す信号に従って表示部４０の輝度およびコントラストを制御する。このようにして、表示部４０の周囲の照度に応じて表示部４０の輝度およびコントラストが制御される。
【００４３】
上記した構成によれば、表示部４０の周囲の照度が閾値未満であると判定された場合、第１の受光センサ１０より入力される電圧に基づいて輝度およびコントラストを決定し、表示部４０の周囲の照度が閾値以上であると判定された場合、受光センサ１１より入力される電圧に基づいて輝度およびコントラストを決定し、この決定した輝度およびコントラストに従って表示部４０の輝度およびコントラストを制御するので、表示部の輝度およびコントラストをよりきめ細かく制御することができる。
【００４４】
また、表示部４０の周囲の照度が閾値未満であると判定された場合には、コントラストを一定とし、照度が大きくなるほど輝度が高くなるように輝度およびコントラストを決定することができ、また、表示部４０の周囲の照度が閾値未満であると判定された場合には、コントラストを一定とし、照度が大きくなるほど輝度が高くなるように輝度およびコントラストを決定することができる。
【００４５】
また、表示部４０の周囲の照度に応じて表示部の輝度およびコントラストを短い周期で制御すると、例えば、表示部４０が一瞬だけ日向から日陰に入ったような場合に、表示部４０の周囲の照度変化に追従して表示部の輝度およびコントラストがすぐに変化してしまい、かえって見にくくなってしまう場合があるが、上記した構成によれば、一定時間が経過したと判定された場合に照度が予め定められた閾値以上か否かの判定が実施され、一定時間毎に表示部の輝度およびコントラストが制御されるので、例えば、その一定時間を比較的長い時間に設定することにより、上記したように表示部が一瞬だけ日向から日陰に入ったような場合に、表示部４０の周囲の照度変化に追従して表示部の輝度およびコントラストがすぐに変化してしまうことをなくすことが可能である。
【００４６】
また、受光センサ１０は、集光レンズ１０ｂおよび受光素子１０ａを有し、受光センサ１１は、集光レンズ１０ｂと同一特性の集光レンズに透過率を低下させるための透過率低下膜１１ｃを形成してなる集光レンズ１１ｂおよび受光素子１０ａと同一特性の受光素子１１ａを有し、集光レンズ１１ｂを介して受光素子１１ａに到達する光量よりも集光レンズ１０ｂを介して受光素子１０ａに到達する光量が大きくなるようにして、受光センサ１０の検出可能範囲よりも受光センサ１１の検出可能範囲が広くなるようにすることができる。
【００４７】
なお、本発明は上記実施形態に限定されるものではなく、本発明の趣旨に基づいて種々なる形態で実施することができる。
【００４８】
例えば、上記実施形態では、集光レンズ１１ｂの受光素子１１ａと反対側の面に透過率低下膜１１ｃを形成したが、このような例に限定されるものではなく、例えば、集光レンズ１１ｂの受光素子１１ａと反対側の面に透過率低下膜１１ｃを形成してもよい。
【００４９】
また、上記実施形態では、透過率低下膜１１ｃを、耐久性に優れている酸化膜フィルムを用いて構成したが、このような酸化膜フィルムに限定されるものではなく、例えば、誘電体や有機物の保護膜を用いて構成してもよい。
【００５０】
また、上記実施形態では、本表示装置１を車両に搭載される車両用表示装置として用いたが、車両用表示装置以外の用途に用いることもできる。
【００５１】
また、上記実施形態では、Ｓ１０６にて、コントラストを一定値αとし、照度に対して輝度が直線的に増加するように輝度を決定したが、例えば、コントラストを一定値αとし、照度に対して輝度が曲線的に増加するように輝度を決定してもよい。
【００５２】
また、上記実施形態では、Ｓ１０８にて、輝度を一定値βとし、照度に対してコントラストが直線的に増加するようにコントラストを決定したが、例えば、照度に対してコントラストが曲線的に増加するようにコントラストを決定してもよい。
【図面の簡単な説明】
【００５３】
【図１】（ａ）は、本発明の一実施形態に係る表示装置を正面から見た外観図、（ｂ）は、（ａ）の右側面図である。
【図２】図１（ａ）中のＡ−Ａ線に沿った断面図である。
【図３】受光センサ１０、１１の照度と出力電圧の関係を示す図である。
【図４】本発明の一実施形態に係る表示装置のブロック構成を示す図である。
【図５】制御部のフローチャートである。
【図６】照度に対する輝度制御特定を示した図である。
【図７】照度に対するコントラスト制御特性を示した図である。
【符号の説明】
【００５４】
１              表示装置
２              エスカッション部
１０、１１      受光センサ
１０ａ、１１ａ  受光素子
１１ａ、１１ｂ  集光レンズ
１２            基板
２０            制御部
２１ａ、２１ｂ  増幅器
２２ａ、２２ｂ  Ａ／Ｄ変換回路
２３            ＣＰＵ
３０            表示駆動回路
３０ａ          バックライト制御回路
３０ｂ          ガンマ補正回路
４０            表示部
【図１】
2009258219.tif 000003
【図２】
2009258219.tif 000004
【図３】
2009258219.tif 000005
【図４】
2009258219.tif 000006
【図５】
2009258219.tif 000007
【図６】
2009258219.tif 000008
【図７】
2009258219.tif 000009